(57)【特許請求の範囲】
【請求項１】
希釈液ノズルから吐出した希釈液を原液ノズルに誘導し、原液ノズルを洗い流す飲料ノズル洗浄モードと、前記希釈液ノズルから希釈液を吐出し、飲料配管を洗い流す飲料配管洗浄モードとを実行する飲料ノズルの洗浄装置において、
前記希釈液ノズルと前記原液ノズルとを同時に覆う洗浄カバーを検出する洗浄カバー検出手段と、
洗浄開始命令を入力する洗浄開始命令入力手段と
を備え、
前記洗浄カバー検出手段が洗浄カバーを検出した状態で前記洗浄開始命令入力手段から洗浄開始命令が入力された場合に飲料ノズル洗浄モードを実行し、前記洗浄カバー検出手段が洗浄カバーを検出しない状態で前記洗浄開始命令入力手段から洗浄開始命令が入力された場合に飲料配管洗浄モードを実行することを特徴とする飲料ノズルの洗浄装置。
【請求項２】
前記洗浄カバー検出手段が洗浄カバーを検出した状態で飲料の注出を禁止する飲料注出禁止手段を備えたことを特徴とする請求項１に記載の飲料ノズルの洗浄装置。
【請求項３】
前記飲料ノズル洗浄モードまたは前記飲料配管洗浄モードを無効化する無効化設定手段を備えたことを特徴とする請求項１または２に記載の飲料ノズルの洗浄装置。
【発明の詳細な説明】
【技術分野】
【０００１】
本発明は、シロップなどの原液と、飲料水、炭酸水などの希釈液とを別々に吐出する飲料ノズルの洗浄装置に関する。
【背景技術】
【０００２】
シロップなどの原液と、飲料水、炭酸水などの希釈液とを別々に吐出する飲料ノズルは、原液を吐出する原液ノズルと、希釈液を吐出する希釈液ノズルとを備えている。そして、原液ノズルから吐出した原液を希釈液ノズルから吐出した希釈液が希釈する。このように、原液を吐出する原液ノズルと希釈液を吐出する希釈液ノズルとを備えた飲料ノズルは、毎日洗浄することにより、清潔に保たれる。
【０００３】
本願出願人は、飲料ノズルを容易に洗浄すべく、飲料ノズルの洗浄装置を提案している。本願出願人が提案している飲料ノズルの洗浄装置は、原液ノズルと希釈液ノズルとを同時に覆い、希釈液ノズルから希釈液を吐出すると、希釈液を原液ノズルに誘導する洗浄カバーを飲料ノズルに着脱可能に備えている。そして、飲料ノズルに洗浄カバーを装着した状態で希釈液ノズルから希釈液を吐出させると、希釈液は原液ノズルに誘導され、原液ノズルに付着した原液を洗い流す。これにより、原液ノズルは清潔に保たれる（たとえば、特許文献１参照）。
【先行技術文献】
【特許文献】
【０００４】
【特許文献１】特開２００５−２５５９４２号公報
【発明の概要】
【発明が解決しようとする課題】
【０００５】
しかしながら、上述した飲料ノズルの洗浄装置は、洗浄ボタンを操作することにより、希釈液ノズルから希釈液が吐出され、飲料ノズルの洗浄を開始するものの、いかにして洗浄を終了するか明らかでない。
【０００６】
本発明は、上記に鑑みてなされたものであって、飲料ノズルの洗浄を自動的に終了する飲料ノズルの洗浄装置を提供することを目的とする。
【課題を解決するための手段】
【００１２】
上述した課題を解決し、目的を達成するために、本発明は、希釈液ノズルから吐出した希釈液を原液ノズルに誘導し、原液ノズルを洗い流す飲料ノズル洗浄モードと、前記希釈液ノズルから希釈液を吐出し、飲料配管を洗い流す飲料配管洗浄モードとを実行する飲料ノズルの洗浄装置において、前記希釈液ノズルと前記原液ノズルとを同時に覆う洗浄カバーを検出する洗浄カバー検出手段と、洗浄開始命令を入力する洗浄開始命令入力手段とを備え、前記洗浄カバー検出手段が洗浄カバーを検出した状態で前記洗浄開始命令入力手段から洗浄開始命令が入力された場合に飲料ノズル洗浄モードを実行し、前記洗浄カバー検出手段が洗浄カバーを検出しない状態で前記洗浄開始命令入力手段から洗浄開始命令が入力された場合に飲料配管洗浄モードを実行することを特徴とする。
【００１３】
また、本発明は、上記発明において、前記洗浄カバー検出手段が洗浄カバーを検出した状態で飲料の注出を禁止する飲料注出禁止手段を備えたことを特徴とする。
【００１４】
また、本発明は、上記発明において、前記飲料ノズル洗浄モードまたは前記飲料配管洗浄モードを無効化する無効化設定手段を備えたことを特徴とする。
【発明の効果】
【００１６】
本発明にかかる飲料ノズルの洗浄装置は、希釈液ノズルと原液ノズルとを同時に覆う洗浄カバーを検出する洗浄カバー検出手段と、洗浄開始命令を入力する洗浄開始命令入力手段とを備え、洗浄カバー検出手段が洗浄カバーを検出した状態で洗浄開始命令入力手段から洗浄開始命令が入力された場合に飲料ノズル洗浄モードを実行し、洗浄カバー検出手段が洗浄カバーを検出しない状態で洗浄開始命令入力手段から洗浄開始命令が入力された場合に飲料配管洗浄モードを実行するので、洗浄モードごとに洗浄開始命令入力手段を設ける必要がない。また、洗浄カバーが希釈液ノズルと原液ノズルとを覆った状態で飲料配管洗浄モードが実行されることもなければ、希釈液ノズルと原液ノズルとが露出した状態で飲料ノズル洗浄モードが実行されることもない。
【図面の簡単な説明】
【００１７】
【図１】図１は、本発明の実施の形態である飲料ノズルの洗浄装置を搭載した飲料ディスペンサを示す外観斜視図である。
【図２】図２は、図１に示した飲料ディスペンサの操作パネルを取り外した状態を示す正面図である。
【図３】図３は、本発明の実施の形態である飲料ノズルの洗浄装置の要部を示す外観図であって、洗浄カバーが注出位置に移動した状態を示す図である。
【図４】図４は、図３に示した飲料ノズルの洗浄装置の要部を示す側断面図であって、洗浄カバーが注出位置に移動した状態を示す図である。
【図５】図５は、図３に示した飲料ノズルの洗浄装置の要部を示す外観図であって、洗浄カバーが洗浄位置に移動した状態を示す図である。
【図６】図６は、図３に示した飲料ノズルの洗浄装置の要部を示す側断面図であって、洗浄カバーが洗浄位置に移動した状態を示す図である。
【図７】図７は、原液と希釈液とを飲料ノズルに供給する飲料回路を示す図である。
【図８】図８は、飲料ディスペンサの制御構成を示すブロック図である。
【図９】図９は、図８に示した飲料ノズルの洗浄装置の制御手順を示すフローチャートである。
【発明を実施するための形態】
【００１８】
以下に、本発明にかかる飲料ノズルの洗浄装置の実施の形態を図面に基づいて詳細に説明する。なお、この実施の形態によりこの発明が限定されるものではない。
【００１９】
本発明にかかる飲料ノズルの洗浄装置は、シロップなどの原液と、飲料水、炭酸水などの希釈液とを別々に吐出する飲料ノズルの洗浄に用いるもので、飲料ディスペンサやカップ式飲料自動販売機に搭載される。ここでは、飲料ディスペンサに搭載された飲料ノズルの洗浄に好適な飲料ノズルの洗浄装置を例に説明するが、飲料ディスペンサの飲料ノズルの洗浄に限られるものではなく、カップ式飲料自動販売機の飲料ノズルの洗浄に用いることも可能である。
【００２０】
図１は、本発明の実施の形態である飲料ノズルの洗浄装置を搭載した飲料ディスペンサを示す外観斜視図であり、図２は、図１に示した飲料ディスペンサの操作パネルを取り外した状態を示す正面図である。
【００２１】
図１に示すように、飲料ディスペンサ１は、ディスペンサ本体２と操作パネル３とを備えている。図２に示すように、ディスペンサ本体２は、前面が開口した箱体であり、その底部には、高さ調整をするための調整脚２１が設けてある。また、ディスペンサ本体２の内部にはバッグインボックス（液体容器）Ｂ（以下「ＢＩＢ」という）を収容する収容庫２２が設けてある。ＢＩＢは、濃縮飲料を封入した袋状の容器をさらに箱状の容器に収容したもので、たとえば、濃縮飲料を封入したプラスチック製の袋容器をさらに段ボール製の箱容器に収容することにより構成してある。そして、ＢＩＢに封入された濃縮飲料を注出した場合に、箱容器の内部で袋容器が収縮することにより、袋容器の内部に空気が入る事態を回避し、濃縮飲料の酸化を防止する。
【００２２】
ディスペンサ本体２の内部であって、収容庫の下方域となる部位には、チューブポンプ４が設けてある。チューブポンプ４は、ＢＩＢに封入された濃縮飲料を汲み出すためのもので、ＢＩＢごとに設けてある。たとえば、図２に示すように、図１に示す飲料ディスペンサ１の収容庫２２には、二つのＢＩＢが収容可能であり、収容庫２２の下方域となる部位には、二つのチューブポンプ４が設けてある。
【００２３】
チューブポンプ４は、ＢＩＢに設けられたチューブ４１の一点を押し潰したローラを移動させることにより、チューブ４１の内部の濃縮飲料を押し出すもので、チューブ４１の開放端４１ａは保持されて、濃縮飲料の吐出口を構成する。そして、ローラが移動すると、ローラによって押し潰されたチューブ４１は、その復元力により元の形状に戻り、その際にチューブ４１の内部が真空となり、チューブ４１の内部に濃縮飲料を吸引する。
【００２４】
また、チューブ４１の開放端４１ａの左側方域には、希釈液の吐出口４２が設けてある。希釈液の吐出口４２は、濃縮飲料を希釈する希釈液を吐出するための吐出口であり、希釈液の吐出口４２から吐出された希釈液は濃縮飲料と混合され、濃縮飲料を希釈する。希釈液は、飲料水、炭酸水などであり、注出する飲料が無炭酸飲料の場合には吐出口４２から飲料水を吐出し、注出する飲料が炭酸飲料の場合には吐出口４２から炭酸水を吐出する。また、注出する飲料が微炭酸飲料の場合には吐出口４２から飲料水と炭酸水とを交互に吐出する。
【００２５】
また、チューブポンプ４の右側方域には、飲料ノズル５が設けてある。飲料ノズル５は、後述するように、シロップなどの原液を吐出する原液ノズル５１と、飲料水、炭酸水などの希釈液を吐出する希釈液ノズル５２とを別々に有しており、原液ノズル５１から吐出した原液と希釈液ノズル５２から吐出した希釈液とを混合することにより、原液を希釈する。
【００２６】
図１に示すように、チューブポンプ４および飲料ノズル５の下方域となるディスペンサ本体２の下端部には、ドリップトレイ２３を備えている。ドリップトレイ２３は、飛び散った飲料や飲料カップからあふれた飲料を受け止めるためのもので、その上には、飲料カップを置くためのカップレスト２４が載置してある。カップレスト２４は、鋼線などの線材を桟状に構成したもので、飛び散った飲料や飲料カップからあふれた飲料はカップレスト２４を通り、ドリップトレイ２３に受け止められる。
【００２７】
操作パネル３は、ディスペンサ本体２の前面開口を覆うためのもので、ディスペンサ本体２の一側縁部（図１に示す飲料ディスペンサ１は左側縁部）に開閉可能に支承されている。操作パネル３の前面には、飲料選択ボタン３１を備えている。
【００２８】
飲料選択ボタン３１は、チューブポンプ４および飲料ノズル５に対応して配置されている。具体的には、飲料選択ボタン３１の配置位置とチューブポンプ４および飲料ノズル５の配置位置とが対応するように配置され、飲料選択ボタン３１で選択された飲料を当該飲料選択ボタン３１の下方域に置かれた飲料カップに注出する。
【００２９】
たとえば、チューブポンプ４から吐出する濃縮飲料を原料とする飲料は通常一種類に限られるので、図１に示すように、一つのチューブポンプ４に対して一つの飲料選択ボタン３１が配置されている。一方、飲料ノズル５からは通常複数種類の飲料が注出されるので、図１に示すように、一つの飲料ノズル５に対して複数の飲料選択ボタン３１が配置されている。
【００３０】
図３は、本発明の実施の形態である飲料ノズルの洗浄装置の要部を示す外観図であって、洗浄カバーが注出位置に移動した状態を示す図である。図４は、図３に示した飲料ノズルの洗浄装置の要部を示す側断面図であって、洗浄カバーが注出位置に移動した状態を示す図である。
【００３１】
図３および図４に示すように、飲料ノズル５は、ノズル本体５０を備えている。ノズル本体５０は、ディスペンサ本体２に着脱可能に取り付けられ、洗浄、交換など必要な場合に着脱される。ノズル本体５０は、取付基部５０ａから開放端部５０ｂに向けて斜め下方に延在しており、取付基部５０ａ側には、飲料水、炭酸水などの希釈液を希釈液ノズル５２に供給するパイプ５３が着脱可能に取り付けてあり、パイプ５３よりも開放端部５０ｂ側には、シロップなどの原液を吐出する原液ノズル５１が一体に設けてある。パイプ５３の基部側となる一端には、希釈液接続管５４が接続してあり、希釈液ノズル５２から希釈液を吐出する場合に希釈液接続管５４からパイプ５３に希釈液が供給される。また、パイプ５３の開放端部側となる他端には、希釈液ノズル５２が着脱可能に取り付けてあり、希釈液接続管５４からパイプ５３に供給された希釈液は、希釈液ノズル５２から吐出する。そして、原液ノズル５１から突出した原液を希釈液ノズル５２から吐出した希釈液が希釈することにより、原液と希釈液とが混合した飲料が飲料カップに注出される。
【００３２】
図３および図４に示すように、原液ノズル５１は、ノズル本体５０の取付基部５０ａから開放端部５０ｂに向けて二列かつ互い違いに、その傾斜が取付基部５０ａから開放端部５０ｂに向けて緩くなるように配置してある。そして、すべての原液ノズル５１から吐出した原液は、カップレスト２４（図１参照）に置かれた飲料カップに注がれる。
【００３３】
また、原液ノズル５１は、基部側が円筒形に形成してあり、原液ノズル５１に原液を供給する原液管路５５（シロップ管路）が接続してある（図７参照）。一方、原液ノズル５１の開放部５１ｂ側は、円筒を偏平に押しつぶした形をしており、その先端は、吐出した原液が螺旋を描くように形成してある。
【００３４】
図３および図４に示すように、希釈液ノズル５２の先端部５２ａは、原液ノズル５１に向けて傾いており、原液ノズル５１に対向する側面に吐出口５２ｂが開口している。これにより、原液ノズル５１から突出した原液と希釈液ノズル５２から吐出した希釈液とは空中において衝突し、混合および希釈される。
【００３５】
また、希釈液ノズル５２の先端には、一対の側壁部５２ｃが設けてある。側壁部５２ｃは、原液ノズル５１の側方域を遮蔽し、原液の飛散を防止する。なお、対となる側壁部５２ｃの間は、開放しており、原液ノズル５１から吐出した原液の障害となることはない。
【００３６】
ところで、図３および図４に示す飲料ノズル５は、ノズル本体５０に六つの原液ノズル５１が設けてあり、最大六種類の原液を原料とする飲料を提供できる。また、ノズル本体５０に取り付けたパイプ５３には、飲料水、炭酸水の二種類の希釈液が供給され、原液を飲料水で希釈した無炭酸飲料、原液を炭酸水で希釈した炭酸飲料、原液を飲料水と炭酸水とで希釈した微炭酸飲料を提供できる。
【００３７】
図５は、図３に示した飲料ノズルの洗浄装置の要部を示す外観斜視図であって、洗浄カバーが洗浄位置に移動した状態を示す図である。図６は、図３に示した飲料ノズルの洗浄装置の要部を示す側断面図であって、洗浄カバーが洗浄位置に移動した状態を示す図である。
【００３８】
図３および図５に示すように、ノズル本体５０には、洗浄カバー８が取り付けてある。図５および図６に示すように、洗浄カバー８は、原液ノズル５１と希釈液ノズル５２とを同時に覆い、希釈液ノズル５２から吐出した希釈液を原液ノズル５１に誘導するためのものである。
【００３９】
図３および図５に示すように、洗浄カバー８は、ノズル本体５０の側面に設けた円柱状の突起５０ｃに回動可能に支承され、原液ノズル５１と希釈液ノズル５２とが同時に露出する注出位置（図３および図４参照）と、原液ノズル５１と希釈液ノズル５２とが同時に覆われる洗浄位置（図５および図６参照）との間を移動可能にする。
【００４０】
また、洗浄カバー８は、左右対を成す側壁部８１と、一対の側壁部８１を相互に接続する底壁部８２とを有している。側壁部８１は、ノズル本体５０に設けた円柱状の突起５０ｃに支承される円弧溝８１ａの中心を中心とした扇形をしており、底壁部８２の内壁面は、円弧溝８１ａの中心を通る軸線を中心とする円弧が集合した円弧面を構成する。これにより、洗浄カバー８を注出位置と洗浄位置との間で移動させても、図４および図６に示すように、底壁部内壁面８２ａが原液ノズル５１の先端や希釈液ノズル５２の先端に当たることがない。また、図４に示すように、洗浄カバー８の底壁部内壁面８２ａに摺接する突出部５０ｂ１をノズル本体５０の開放端部５０ｂに設けても、洗浄カバー８が注出位置と洗浄位置との間で移動できる。
【００４１】
また、図３および図４並びに図６に示すように、洗浄カバー８の底壁部８２には、排水溝８２ｂが設けてある。排水溝８２ｂは、飲料ノズル５の洗浄に用いた希釈液（炭酸水）を排出するための溝であり、コの字状に形成され、洗浄カバー８の底壁部８２を貫通している。また、排水溝８２ｂを設けることにより、舌片状に形成された可撓片８２ｃの端部内壁には、突起８２ｃ１が設けてある。この突起８２ｃ１は、洗浄カバー８が注出位置にあるときに、上述した突出部５０ｂ１と係合することにより、洗浄カバー８が自重や振動により洗浄位置に移動する事態を防止する。そして、洗浄カバー８が注出位置から洗浄位置に移動する際には、可撓片８２ｃが撓むことにより、突出部５０ｂ１が突起８２ｃ１を乗り越える。同様に、洗浄カバー８が洗浄位置から注出位置に移動する際には、可撓片８２ｃが撓むことにより、突出部５０ｂ１が突起８２ｃ１を乗り越える。
【００４２】
また、洗浄カバー８の端部内壁には、突起８２ｄが設けてある。この突起８２ｄは、ノズル本体５０と洗浄カバー８との間にできた空間を閉鎖し、効率的に原液ノズル５１を洗い流すためのもので、図６に示すように、洗浄カバー８が洗浄位置にあるときに上述した突出部５０ｂ１と係合する。そして、洗浄カバー８が洗浄位置から注出位置に移動する際には、突出部５０ｂ１または洗浄カバー８が撓むことにより、突出部５０ｂ１が突起８２ｄを乗り越える。同様に、洗浄カバー８が注出位置から洗浄位置に移動する際には、突出部５０ｂ１または洗浄カバー８が撓むことにより、突出部５０ｂ１が突起８２ｄを乗り越える。
【００４３】
図７に示すように、希釈液接続管５４には、飲料水を供給する飲料水管路５６と、炭酸水を供給する炭酸水管路５７が接続してある。飲料水管路５６の途中には、電磁開閉弁７１が接続してあり、電磁開閉弁７１を開放すると、希釈液接続管５４に飲料水が供給される。そして、希釈液接続管５４に供給された飲料水は、パイプ５３を経由して希釈液ノズル５２から吐出する。炭酸水管路５７は、飲料水に炭酸ガスを溶解させるカーボネータ５８が接続してある。カーボネータ５８には飲料水と炭酸ガスとが供給され、飲料水に炭酸ガスを溶解させることにより、炭酸水を生成する。炭酸水管路５７の途中には、電磁開閉弁７２が接続してあり、電磁開閉弁７２を開放すると希釈液接続管５４に炭酸水が供給される。そして、希釈液接続管５４に供給された炭酸水は、パイプ５３を経由して希釈液ノズル５２から吐出する。
【００４４】
また、原液管路５５には、原液管路５５ごとに原液タンク（シロップタンク）５９が接続してある。また、原液管路５５の途中には、原液管路５５ごとに流量計を備えた原液ポンプ（シロップポンプ）７３が接続してあり、原液ポンプ７３を駆動することにより、原液タンク５９から原液を汲み上げ、原液ノズル５１に供給される。そして、原液ノズル５１に供給された原液は、原液ノズル５１から吐出する。
【００４５】
図８に示すように、上述した飲料選択ボタン３１、チューブポンプ４、飲料水管路５６の途中に接続された電磁開閉弁７１、炭酸水管路５７の途中に接続された電磁開閉弁７２、各原液管路５５に接続された原液ポンプ７３は、制御部７に接続してあり、これらは統括的に制御される。
【００４６】
そして、上述した飲料ノズル５、電磁開閉弁７１，７２、原液ポンプ７３、洗浄カバー８は、本発明の実施の形態２である飲料ノズルの洗浄装置を構成し、上述した制御部７は、同時に飲料ノズルの洗浄装置の制御部を構成する。また、図２に示すように、飲料ノズル５の側方域となるディスペンサ本体２の前面には、洗浄開始ボタン２６が設けてある。洗浄開始ボタン２６は、洗浄開始命令を制御部に入力するための洗浄開始命令入力手段であり、図８に示すように、制御部７に接続してある。そして、洗浄開始ボタン２６を押下すると、制御部７に洗浄開始命令が入力される。
【００４７】
また、図３および図５に示すように、飲料ノズル５の近傍域には、センサ２７が設けてある。センサ２７は、洗浄位置に移動した洗浄カバー８を検出するためのもので、図８に示すように、制御部７に接続してある。そして、洗浄カバー８が洗浄位置にある場合に検出信号を出力し、制御部７に検出信号が入力される。
【００４８】
図９は、図８に示した飲料ノズルの洗浄装置の制御手順を示すフローチャートである。図９に示すように、上述した飲料ノズルの洗浄装置に飲料ノズル５を洗浄させる場合には、洗浄カバー８を注出位置から洗浄位置に移動させ、洗浄開始ボタン２６を押下する（ステップＳ１：Ｙｅｓ）。すると、制御部７に洗浄開始命令が入力され、制御部７は、センサ２７の状態を検出する（ステップＳ２）。そして、センサ２７が洗浄カバー８を検出している場合には飲料ノズル５の洗浄を開始し（ステップＳ２：Ｙｅｓ，ステップＳ３）、センサ２７が洗浄カバー８を検出していない場合には飲料配管の洗浄を開始する（ステップＳ２：Ｎｏ，ステップＳ４）。これは、飲料ノズル５を洗浄する場合には洗浄カバー８を洗浄位置に移動させることに基づくものであり、切換スイッチなどによらないで、飲料ノズル５の洗浄モードと飲料配管の洗浄モードとを切り換える。
【００４９】
そして、飲料ノズル５の洗浄を開始すると、制御部７は、炭酸水管路５７の途中に接続してある電磁開閉弁７２を開放する。すると、炭酸水管路５７、希釈液接続管５４、パイプ５３を経由して希釈液ノズル５２から炭酸水が吐出する。希釈液ノズル５２から吐出した炭酸水は、洗浄カバー８を介して原液ノズル５１に誘導され、原液ノズル５１に付着した原液を洗い流す。
【００５０】
ところで、電磁開閉弁７２は常時開放するものでなくてもよく、あらかじめ定めたパターンにしたがって開放するものとしてもよい。たとえば、電磁開閉弁７２を開放後一旦閉鎖し、その後、再び開放するものとしてもよい。このように、電磁開閉弁７２を開放後一旦閉鎖し、その後、再び開放すると、原液ノズル５１が炭酸水に浸された後に、原液ノズル５１が洗い流されることになり、こびりついた原液を溶かして洗い流すことができる。また、電磁開閉弁７２を間欠的に開放してもよい。このように、電磁開閉弁７２を間欠的に開放すると、少量の炭酸水で効率的な洗浄が可能になる。
【００５１】
そして、あらかじめ定めたノズル洗浄時間が経過すると、飲料ノズル５の洗浄を終了する（ステップＳ５：Ｙｅｓ，ステップＳ６）。また、あらかじめ定めたノズル洗浄時間が経過する前に洗浄開始ボタン２６を押下すると、制御部７に洗浄開始命令が入力されるが、すでに洗浄を開始しているので、制御部７は洗浄開始命令を洗浄中止命令と判断し、飲料ノズル５の洗浄を中止させる（ステップＳ５：Ｎｏ，ステップＳ７：Ｙｅｓ，ステップＳ６）。そして、飲料ノズル５の洗浄を終了または中止させると、制御部７は、炭酸水管路５７の途中に接続してある電磁開閉弁７２を閉鎖する。
【００５２】
その後、制御部７は、原液ポンプ７３を順番に駆動することにより、原液ノズル５１から所定量（微量）の原液を吐出させる（飲料注出準備）。これにより、原液ノズル５１に侵入した炭酸水が原液とともに排出され、原液ノズル５１は原液で満たされる。
【００５３】
そして、制御部７は、最後に飲料ノズル５の洗浄が終了した時刻を記憶しておき、その時刻から一定の時間（たとえば、２４時間）が経過しても飲料ノズル５の洗浄が開始されない場合にその旨を報知する。報知する手段は、たとえば、洗浄開始ボタン２６に内蔵したＬＥＤランプの点灯、ブザー、操作パネル３に設けた表示部への表示など任意の手段を採用する。
【００５４】
また、制御部７は、飲料ノズル５の洗浄開始後、飲料ノズル５の洗浄を終了または中止するまでは、飲料選択ボタン３１を無効にし、飲料の注出を禁止する。そして、飲料ノズル５の洗浄が終了または中止した場合に、飲料選択ボタン３１を有効にし、飲料の注出を可能にする。
【００５５】
また、制御部７は、別途設けたリモコン（図示せず）からの操作により、飲料ノズル５の洗浄を無効または有効に設定することができる。飲料ノズル５の洗浄を無効に設定した場合には、洗浄カバー８を洗浄位置に移動させ、洗浄開始ボタン２６を押下しても飲料ノズル５の洗浄を開始することはない。
【００５６】
一方、飲料配管の洗浄を開始すると、制御部７は、原液管路５５の途中に接続された原液ポンプ７３を順番に駆動し、その後、飲料水管路５６の途中に接続した電磁開閉弁７１、炭酸水管路５７の途中に接続した電磁開閉弁７２の順に開放する。
【００５７】
原液ポンプ７３を駆動すると、原液管路５５を経由して原液ノズル５１から原液が吐出する。そして、飲料水管路５６の途中に接続した電磁開閉弁７１を開放すると、飲料水管路５６、希釈液接続管５４を経由して希釈液ノズル５２から飲料水が吐出する。そしてまた、炭酸水管路５７の途中に接続した電磁開閉弁７２を開放すると、炭酸水管路５７、希釈液接続管５４を経由して希釈液ノズル５２から炭酸水が吐出する。このように、原液ノズル５１から原液を吐出させ、希釈液ノズル５２から飲料水、炭酸水を吐出させると、原液管路５５、飲料水管路５６、炭酸水管路５７に滞留していた原液、飲料水、炭酸水が吐出され、原液管路５５、飲料水管路５６、炭酸水管路５７が洗浄される。
【００５８】
そして、あらかじめ定めた飲料配管洗浄時間が経過すると、飲料配管の洗浄を終了する（ステップＳ８：Ｙｅｓ，ステップＳ９）。また、あらかじめ定めた飲料配管洗浄時間が経過する前に洗浄開始ボタン２６を押下すると、制御部７に洗浄開始命令が入力されるが、すでに洗浄を開始しているので、制御部７は洗浄開始命令を洗浄中止命令と判断し、飲料配管の洗浄を中止させる（ステップＳ８：Ｎｏ，ステップｓ１０：Ｙｅｓ，ステップＳ９）。そして、飲料配管の洗浄を終了または中止させると、そのとき駆動している原液ポンプ７３の駆動を停止し、そのとき開放している電磁開閉弁７１，７２を閉鎖する。
【００５９】
そして、制御部７は、最後に飲料配管の洗浄が終了した時刻を記憶しておき、その時刻から一定の時間（たとえば、２４時間）が経過しても飲料配管の洗浄が開始されない場合にその旨を報知する。報知する手段は、たとえば、洗浄開始ボタン２６に内蔵したＬＥＤランプの点灯、ブザー、操作パネル３に設けた表示部への表示など任意の手段を採用する。
【００６０】
また、制御部７は、飲料配管の洗浄開始後、飲料配管の洗浄を終了または中止するまでは、飲料選択ボタン３１を無効にし、飲料の注出を禁止する。そして、飲料配管の洗浄が終了または中止した場合に、飲料選択ボタン３１を有効にし、飲料の注出を可能にする。
【００６１】
また、制御部７は、別途設けたリモコン（図示せず）からの操作により、飲料配管の洗浄を無効または有効に設定することができる。飲料配管の洗浄を無効に設定した場合には、洗浄カバー８を注出位置に移動させ、洗浄開始ボタン２６を押下しても飲料配管の洗浄を開始することはない。
【００６２】
上述した本発明の実施の形態である飲料ノズルの洗浄装置は、洗浄開始命令を入力する洗浄開始ボタン２６と、洗浄開始ボタン２６が押下され、洗浄開始命令が入力された場合に炭酸水管路５７の途中に設けた電磁開閉弁７２をあらかじめ定めた洗浄時間だけ開放するので、洗浄時間が経過すると電磁開閉弁７２が閉鎖され、飲料ノズル５の洗浄を自動的に終了する。
【００６３】
また、制御部７は、電磁開閉弁７２を開放し、希釈液ノズル５２から希釈液を吐出させている状態において、洗浄開始ボタン２６が押下され、洗浄開始命令が入力された場合に、洗浄開始命令を洗浄中止命令と判断し、電磁開閉弁７２を閉鎖し、飲料ノズル５の洗浄を中止する。したがって、洗浄停止ボタンを別途設ける必要がない。
【００６４】
また、制御部７は、あらかじめ定めた洗浄時間だけ電磁開閉弁７２を開放し、希釈液ノズル５２から希釈液を吐出させた後に、原液ポンプ７３を順番に駆動することにより、原液ノズル５１から所定量（微少）の原液を吐出させるので、原液ノズル５１に侵入した炭酸水が原液とともに排出され、原液ノズル５１は原液で満たされる。
【００６５】
また、制御部７は、飲料ノズルの洗浄を最後にした時刻を記憶するとともに、記憶した時刻からあらかじめ定めた時間（たとえば、２４時間）が経過した場合にその旨を報知するので、飲料ディスペンサ１が飲料ノズル５の洗浄を必要としていることがわかる。
【００６６】
また、制御部７は、センサ２７が洗浄カバー８を検出した状態で飲料ノズル５を洗浄し、センサ２７が洗浄カバーを検出しない状態で飲料配管を洗浄するので、飲料ノズル５の洗浄と、飲料配管の洗浄とを切り換えるスイッチを設ける必要もなければ、飲料ノズル５の洗浄と飲料配管の洗浄とを分けて洗浄開始ボタンを設ける必要がない。また、洗浄カバー８が希釈液ノズル５２と原液ノズル５１とを覆った状態で飲料配管の洗浄が実行されることもなければ、洗浄カバー８が希釈液ノズル５２と原液ノズル５１とを露出させた状態で飲料ノズル５の洗浄が実行されることもない。
【００６７】
また、センサ２７が洗浄カバー８を検出した状態で飲料の注出を禁止するので、飲料選択ボタン３１により飲料を選択しても飲料の注出が開始されない場合には、洗浄カバー８が洗浄位置にあることがわかる。
【符号の説明】
【００６８】
１    飲料ディスペンサ
２    ディスペンサ本体
２６    洗浄開始ボタン
２７    センサ
３    操作パネル
３１    飲料選択ボタン
５    飲料ノズル
５０    ノズル本体
５０ａ    取付基部
５０ｂ    開放端部
５０ｂ１    突出部
５０ｃ    突起
５１    原液ノズル
５１ｂ    開放部
５２    希釈液ノズル
５２ａ    先端部
５２ｂ    吐出口
５２ｃ    側壁部
５３    パイプ
５４    希釈液接続管
５５    原液管路
５６    飲料水管路
５７    炭酸水管路
５８    カーボネータ
５９    原液タンク
７    制御部
７１    電磁開閉弁
７２    電磁開閉弁
７３    原液ポンプ
８    洗浄カバー
８１    側壁部
８１ａ    円弧溝
８２ｃ    可撓片
８２    底壁部
８２ａ    底壁部内壁面
８２ｂ    排水溝
８２ｃ１    突起
８２ｄ    突起
【図１】
0005771996.tif 000002
【図２】
0005771996.tif 000003
【図３】
0005771996.tif 000004
【図４】
0005771996.tif 000005
【図５】
0005771996.tif 000006
【図６】
0005771996.tif 000007
【図７】
0005771996.tif 000008
【図８】
0005771996.tif 000009
【図９】
0005771996.tif 000010